(57)【要約】【課題】換気靴を小型化することができるとともに、靴本体部内の換気を十分に行うことができるようにする。【解決手段】アッパ３１と、第１、第２の底板と、空気を靴本体部３４内に取り込み、空気を靴本体部３４外に排出するための換気装置とを有する。換気装置は、空気を吸気するための第１の通気部、空気を排気するための第２の通気部、及び第１の通気部において吸気された空気を第２の通気部に送るポンプ装置５０を備える。ポンプ装置５０は、偏平な室から成るポンプ室１６１、及び第１、第２の通気部と隣接させて配設された第１、第２の逆止弁を備える。ポンプ室１６１の容積を大きくすることができるので、靴本体部３４内の換気を十分に行うことができる。【選択図】図１
2017131491.tif 000002
【特許請求の範囲】
【請求項１】
（ａ）アッパと、
（ｂ）第１の底板と、
（ｃ）第１の底板より下方において第１の底板と重ねて配設された第２の底板と、
（ｄ）靴本体部外の空気を靴本体部内に取り込み、靴本体部内の空気を靴本体部外に排出するための換気装置とを有するとともに、
（ｅ）換気装置は、靴本体部内の所定の箇所に形成され、空気を吸気するための第１の通気部、靴本体部内の他の所定の箇所に形成され、空気を排気するための第２の通気部、及び第１の通気部において吸気された空気を第２の通気部に送るポンプ装置を備え、
（ｆ）ポンプ装置は、第１、第２の底板を重ねることによって形成された偏平な室から成るポンプ室、第１の通気部と隣接させて開閉自在に配設された第１の逆止弁、及び第２の通気部と隣接させて開閉自在に配設された第２の逆止弁を備えることを特徴とする換気靴。
【請求項２】
第１、第２の逆止弁は、可撓性を有する材料から成る弁体を備える請求項１に記載の換気靴。
【請求項３】
装着者が換気靴を装着したときに装着者の足が密着する面に凹凸溝列が形成される請求項１又は２のいずれか１項に記載の換気靴。
【請求項４】
第１、第２の逆止弁は装着者の足の踵より後方、又は指先より前方に配設される請求項１〜３のいずれか１項に記載の換気靴。
【請求項５】
（ａ）第１の通気部は、靴本体部内の空気を吸気するために、靴本体部内の後端部において装着者の足の踵より後方に形成され、
（ｂ）第２の通気部は、靴本体部内に空気を排気するために、靴本体部内の前端部において装着者の足の指先より前方に形成される請求項１〜４のいずれか１項に記載の換気靴。
【請求項６】
第２の通気部に隣接させて、空気を装着者の足の第５指側に案内する排気案内路が形成される請求項５に記載の換気靴。
【請求項７】
（ａ）アッパと、
（ｂ）ソールとを有するとともに、
（ｃ）アッパにおける履き口部から爪先部までの間の裏面に第１の通気路が、アッパにおける踵部の裏面に第２の通気路が、ソールの表面に第３の通気路が形成され、
（ｄ）第１の通気路は、アッパの長手方向に延びる凹凸溝列から成り、第２通気路は、アッパの高さ方向に延びる凹凸溝列から成り、第３の通気路は、ソールの長手方向に延びる凹凸溝列から成ることを特徴とする換気靴。
【発明の詳細な説明】
【技術分野】
【０００１】
本発明は、換気靴に関するものである。
【背景技術】
【０００２】
従来、靴は、靴本体部内の通気性が悪いので、長時間装着していると足が蒸れ、装着者が不快感を覚えるだけでなく、水虫の原因にもなる。そこで、ソールにポンプ室を配設し、歩行する際に靴に加わる装着者の体重及び屈曲による荷重変動を利用してポンプ室を圧縮し、空気を指先に排出させ、靴本体部内の換気を行うようにした換気靴が提供されている。
【０００３】
図２は従来の換気靴の縦断面図である。
図において、１０は換気靴であり、該換気靴１０はアッパ１１及びソール１２を備え、ソール１２の後端部にヒール１３が形成される。ソール１２は、中敷１５、中底１６及び本底１７を備え、中底１６と本底１７との間に空気室Ｓｐが形成される。
【０００４】
また、換気靴１０の靴本体部１４内の後端部には、靴本体部１４内の空気を空気室Ｓｐ内に吸気するための吸気部２１が、前端部には、空気室Ｓｐ内の空気を靴本体部１４内に排気するための排気部２２が配設され、空気室Ｓｐ内にはポンプ装置２３が配設される。
【０００５】
ポンプ装置２３は、吸気室Ｒ１、排気室Ｒ２、仕切壁２５、２６間に形成されたポンプ室Ｒ３、吸気室Ｒ１とポンプ室Ｒ３との間に配設された逆止弁２８、逆止弁２８と排気室Ｒ２とを連通するパイプ１８等を備える。
【０００６】
装着者が一方の足を踏み出すと、他方の足に全体重が加わり、続いて、踵が上がって爪先で立つ状態になると、ソール１２が湾曲させられ、ポンプ室Ｒ３が圧縮されて圧力が高くなる。これにより、ポンプ室Ｒ３内の空気が、パイプ１８内を通って排気室Ｒ２に送られ、排気部２２を介して靴本体部１４内に排気される。次に、装着者が、踏み出した一方の足を着地させ、他方の足を踏み出すと、換気靴１０が地面から離れて扁平な状態に戻り、ポンプ室Ｒ３が圧縮されなくなり、圧力が低くなる。これにより、靴本体部１４内の空気が、吸気部２１を介して吸気室Ｒ１に吸気され、ポンプ室Ｒ３に送られる。
【０００７】
このようにして、交互に足を踏み出して歩行すると、吸気部２１から吸気室Ｒ１に吸気された空気が、排気部２２から靴本体部１４内に排気され、靴本体部１４内の換気が行われる（例えば、特許文献１参照。）。
【先行技術文献】
【特許文献】
【０００８】
【特許文献１】特開２０１４−２００３２７号公報
【発明の概要】
【発明が解決しようとする課題】
【０００９】
従来の換気靴１０においては、ポンプ室Ｒ３内の空気を靴本体部１４内に排気するために、逆止弁２８と排気室Ｒ２との間にパイプ１８が配設されるので、空気室Ｓｐの高さ方向の寸法を大きくする必要があり、換気靴１０が大型化してしまう。また、パイプ１８、逆止弁２８等に嵌合部分、接続部分等が多いので、完全に密封するのが困難であり、空気漏れが起こりやすい。さらに、空気室Ｓｐ内にパイプ１８が延在させられるので、装着者が歩行するときに、ソール１２が湾曲するのが妨げられてしまい、ポンプ室Ｒ３を十分に圧縮することができない。また、ポンプ室Ｒ３内の空気がパイプ１８内を通って排気室Ｒ２に送られるので、パイプ１８内の圧力損失が大きく、靴本体部１４内に排気される空気の量が少なくなってしまう。その結果、靴本体部１４内の換気を十分に行うことができない。
【００１０】
本発明は、従来の換気靴１０の問題点を解決して、小型化することができ、靴本体部内の換気を十分に行うことができる換気靴を提供することを目的とする。
【課題を解決するための手段】
【００１１】
本発明の換気靴において、換気装置は、靴本体部内の所定の箇所に形成され、空気を吸気するための第１の通気部、靴本体内部の他の所定の箇所に形成され、空気を排気するための第２の通気部、及び第１の通気部において吸気された空気を第２の通気部に送るポンプ装置を備える。
【００１２】
そして、ポンプ装置は、第１、第２の底板を重ねることによって形成された偏平な室から成るポンプ室、第１の通気部と隣接させて開閉自在に配設された第１の逆止弁、及び第２の通気部と隣接させて開閉自在に配設された第２の逆止弁を備える。
【発明の効果】
【００１３】
換気靴を小型化することができるとともに、ポンプ室の容積を大きくすることができるので、靴本体内の換気を十分に行うことができる。
【図面の簡単な説明】
【００１４】
【図１】本発明の第１の実施の形態における換気靴の縦断面図である。
【図２】従来の換気靴の縦断面図である。
【図３】本発明の第１の実施の形態における換気靴の斜視図である。
【図４】本発明の第１の実施の形態におけるソールの平面図である。
【図５】本発明の第１の実施の形態における中敷の平面図である。
【図６】本発明の第１の実施の形態における中敷の各開口の位置を示す図である。
【図７】本発明の第１の実施の形態における中底の平面図である。
【図８】本発明の第１の実施の形態における下底の平面図である。
【図９】本発明の第１の実施の形態における本底の平面図である。
【図１０】本発明の第１の実施の形態における吸気用逆止弁の平面図である。
【図１１】本発明の第１の実施の形態における吸気用逆止弁の断面図である。
【図１２】本発明の第１の実施の形態における排気用逆止弁の平面図である。
【図１３】本発明の第１の実施の形態における排気用逆止弁の断面図である。
【図１４】本発明の第１の実施の形態におけるシートの要部断面図である。
【図１５】図１及び４のＸ−Ｘ断面図である。
【図１６】図１及び４のＹ−Ｙ断面図である。
【図１７】図１及び４のＺ−Ｚ断面図である。
【図１８】本発明の第２の実施の形態における換気靴の縦断面図である。
【発明を実施するための形態】
【００１５】
図において、３０は換気靴、３１は装着者の足の上部を覆うアッパ、３２はソール、３３はヒールである。ソール３２は、足の裏面と当接する中敷３５、該中敷３５より下方において中敷３５と重ねて配設された中底３６、該中底３６より下方において中底３６と重ねて配設された第１の底板としての下底３７、及び該下底３７より下方において下底３７と重ねて配設された第２の底板としての本底３８を備える。換気靴３０の靴本体部３４は、アッパ３１及びソール３２によって包囲され、アッパ３１と中敷３５との間に形成される靴内部である。なお、前記中敷、中底３６、下底３７及び本底３８は、ゴム、軟質合成樹脂等の弾性材料から成る。
【００１６】
そして、換気靴３０は、靴本体部３４内で空気を循環させ、靴本体部３４内の空気を靴本体部３４外に排出し、靴本体部３４外の空気を靴本体部３４内に取り込んで靴本体部３４内の換気を行うための換気装置を有する。
【００１７】
次に、換気装置について説明する。
【００１８】
該換気装置は、靴本体部３４内の後端部に開口させて形成され、靴本体部３４内の空気を吸気するための第１の通気部としての吸気部１４８、靴本体部３４内の前端部に開口させて形成され、靴本体部３４内に空気を排気するための第２の通気部としての排気部１４９、及び吸気部１４８において吸気した空気を排気部１４９に送るポンプ装置５０を備える。  
【００１９】
前記吸気部１４８は、中敷３５の後端部において、換気靴３０の幅方向に形成された複数の、本実施の形態においては、３個の開口１４８ａ〜１４８ｃ、並びに中底３６の後端部において前記各開口１４８ａ〜１４８ｃ及びポンプ装置５０と連通させて形成された複数の、本実施の形態においては、３個の吸気路１５１ａ〜１５１ｃを備える。前記開口１４８ａ〜１４８ｃ及び吸気路１５１ａ〜１５１ｃは、直下に配設された第１の逆止弁としての吸気用逆止弁１６６と連通させられ、吸気を行う。
【００２０】
前記排気部１４９は、中敷３５の前端部において、換気靴３０の幅方向に形成された複数の、本実施の形態においては、４個の開口１４９ａ〜１４９ｄ、中底３６の前端部において幅方向に形成された複数の、本実施の形態においては、４個の排気路１５５ａ〜１５５ｄ、及び下底３７の前端部に形成された排気案内路１５６を備え、開口１４９ａ〜１４９ｄ及び排気路１５５ａ〜１５５ｄは、直下に形成された排気案内路１５６及び第２の逆止弁としての排気用逆止弁１７１と連通させられ、排気を行う。
【００２１】
図６に示されるように、中敷３５の各開口１４９ａ〜１４９ｄのうちの、開口１４９ａは足の第１指ｆｇ１と第２指ｆｇ２との間に、開口１４９ｂは第２指ｆｇ２と第３指ｆｇ３との間に、開口１４９ｃは第３指ｆｇ３と第４指ｆｇ４との間に、開口１４９ｄは第４指ｆｇ４と第５指（小指）ｆｇ５との間に形成され、各指の付け根の近傍に向けて空気を排気する。そして、図８に示されるように、排気案内路１５６は、後述される第２の逆止弁収容室１５７の後方の縁部ｅｇに隣接させて形成された案内路１９１〜１９６を備え、空気は、まず、第５指ｆｇ５の位置に対応する案内路１９４に流れ、次に、第４指ｆｇ４、第３指ｆｇ３、第２指ｆｇ２及び第１指ｆｇ１の位置に対応する案内路１９５、１９６に向けて流れる。すなわち、空気は、最初に到達する第５指ｆｇ５に向けて多く排気される。
【００２２】
ところで、長時間靴を装着すると、足が蒸れて、水虫が発症しやすくなり、水虫は、第５指ｆｇ５に近い側で発症しやすいことが知られている。本実施の形態においては、空気が、まず、第５指ｆｇ５に向けて多量に排気され、続いて、第１指ｆｇ１に向けて排気されるので、第５指ｆｇ５に近い側で水虫が発症するのを十分に抑制することができる。
【００２３】
前記ポンプ装置５０は、下底３７と本底３８との間に空間を形成することによって形成されるポンプ室１６１、下底３７の後端部において吸気路１５１ａ〜１５１ｃと連通させて形成された第１の逆止弁収容室１５２、該第１の逆止弁収容室１５２に収容された吸気用逆止弁１６６、下底３７の前端部において排気案内路１５６と連通させて形成された第２の逆止弁収容室１５７、及び該第２の逆止弁収容室１５７に収容された排気用逆止弁１７１を備える。
【００２４】
前記ポンプ室１６１は、本底３８の周囲に周縁部Ｅｇを残し、深さが数〔ｍｍ〕程度の十分に広い面積を有する凹部を形成し、本底３８の上面に下底３７を貼り付け、密着させることによって形成され、後端に第１の逆止弁収容室１５２と連通する連通口１６３を、前端に第２の逆止弁収容室１５７と連通する連通口１６４を備える。前記本底３８には、上面が本底３８の上面と同じ高さを有する凸部３８ａ、３８ｂが形成される。さらに、前記ポンプ室１６１において、連通口１６３と凸部３８ａとの間の領域１６１ａ、及びポンプ室１６１における凸部３８ａ、３８ｂ間の領域１６１ｂには、発泡性ゴム等の弾性材料から成るクッション材としてのスペーサ３８ｃ、３８ｄが本底３８に貼着させて配設される。凸部３８ａ、３８ｂ及びスペーサ３８ｃ、３８ｄによって、換気靴３０の長期使用による下底３７の形状の経年変化が防止される。本実施の形態においては、スペーサ３８ｃ、３８ｄが本底３８に貼着させて配設されるようになっているが、下底３７に貼着させることができる。
【００２５】
なお、凹部の面積、深さ等を変えることによってポンプ室１６１の容積を大きくすることができる。その場合、靴本体部３４内に排気したり、靴本体部３４外から吸気したりすることができる空気の量を更に多くすることができる。
【００２６】
前記吸気用逆止弁１６６は、図１０及び１１に示されるように、薄く、扁平な箱形のケース２０１、該ケース２０１を覆うカバー２０２、及び弁体６６を備える。ケース２０１には空気出口穴２０５が、カバー２０２には空気入口穴２０６が形成される。
【００２７】
ケース２０１及びカバー２０２は、金属、合成樹脂等の強固な材料で形成される。また、弁体６６は、薄板金属等の可撓性を有する材料で形成され、わずかな空気圧が加わることによって撓み、空気入口穴２０６を開閉する。前記吸気用逆止弁１６６において、空気入口穴２０６が吸気路１５１ａ〜１５１ｃ（図１）と、空気出口穴２０５が連通口１６３（図９）と連通させられる。
【００２８】
排気用逆止弁１７１は、図１２及び１３に示されるように、薄く、扁平な箱形のケース２１１、該ケース２１１を覆うカバー２１２、及び弁体７１を備える。ケース２１１には空気出口穴２１５が、カバー２１２には空気入口穴２１６が形成される。前記排気用逆止弁１７１において、空気入口穴２１６が連通口１６４（図９）と、空気出口穴２１５が排気案内路１５６と連通させられる。
【００２９】
吸気用逆止弁１６６は、ポンプ室１６１内の圧力が靴本体部３４内の圧力より低くなると開放され、靴本体部３４内の空気が吸気部１４８からポンプ室１６１に吸引される。また、排気用逆止弁１７１は、ポンプ室１６１内の圧力が靴本体部３４内の圧力より高くなると開放され、ポンプ室１６１の空気が排気部１４９から排気される。
【００３０】
このように、本実施の形態においては、弁体６６が、ケース２０１及びカバー２０２によって、弁体７１が、ケース２１及びカバー２１２によって支持されるので、吸気用逆止弁１６６及び排気用逆止弁１７１を、換気靴３０に容易に取り付けることができるだけでなく、長期間にわたり、安定させて作動させることができる。
【００３１】
そして、本実施の形態においては、図１に示されるように、吸気用逆止弁１６６が踵Ａｒ１１より後方に配設され、排気用逆止弁１７１が指先Ａｒ１２より前方に配設されるので、歩行の際に吸気用逆止弁１６６及び排気用逆止弁１７１に荷重が加わって破損することはない。したがって、換気靴３０の耐久性を向上させることができる。また、吸気用逆止弁１６６及び排気用逆止弁１７１が足に当たることがないので、装着者は違和感を感じることがない。
【００３２】
なお、本実施の形態においては、靴本体部３４内の後端部において吸気された空気が、前端部において排気されるようになっているが、吸気用逆止弁１６６と排気用逆止弁１７１の配置を逆にすることによって、靴本体部３４内の前端部において吸気された空気を、後端部において排気することもできる。
【００３３】
次に、靴本体部３４内の通気構造について説明する。
【００３４】
換気靴３０においては、換気装置によって、靴本体部３４外の空気が、靴本体部３４内に吸引され、循環し、靴本体部３４外に排出されるようになっている。ところが、換気靴３０を装着したときに装着者の足がアッパ３１の内周面及び中敷３５の表面に隙間なく密着すると、靴本体部３４内の通気性が悪くなる。その結果、靴本体部３４外の空気を靴本体部３４内に取り込んだり、靴本体部３４内で空気を循環させたり、靴本体部３４内の空気を靴本体部３４外に十分に排出したりすることができなくなる。
【００３５】
そこで、本実施の形態においては、アッパ３１における履き口部３１ａから爪先部３１ｂまでの間の裏面、踵部３１ｃ及び側部３１ｄの裏面、及び中敷３５の表面に、凹凸溝列を有するシート８０が貼着され、第１〜第３の通気路４１〜４３が形成される。第１の通気路４１はアッパ３１の長手方向に、第２の通気路４２はアッパ３１の高さ方向に、第３の通気路４３は中敷３５の長手方向に形成される。
【００３６】
これにより、靴本体部３４内外が、第１〜第３の通気路４１〜４３を介して連通させられるので、靴本体部３４内で空気を十分に循環させることができるとともに、靴本体部３４内の空気を靴本体部３４外に十分に排出したり、靴本体部３４外の空気を靴本体部３４内に十分に取り込んだりすることができる。
【００３７】
本実施の形態において、凹凸溝列を有するシート８０は、例えば、図１４に示されるように、皮革８１に所定のピッチで段付き加工を施すことによって、凸部８２及び凹部８３から成るライニング本体８４を形成し、該ライニング本体８４の裏面側に合成樹脂ｒｅを塗布することにより形成される。なお、皮革８１に代えて、布、合成樹脂、ゴム等の材料を使用することもできる。
【００３８】
次に、換気靴３０の動作について説明する。
【００３９】
装着者が換気靴３０を装着し、一方の足を踏み出すと、着地している他方の足に全体重が加わり、続いて、踵が上がって爪先で立つ状態になり、それに伴って、ソール３２が湾曲させられ、ポンプ室１６１内において下底３７と本底３８とが近接させられ、ポンプ室１６１が圧縮されて圧力が高くなる。これにより、排気用逆止弁１７１が開放され、ポンプ室１６１内の空気は、排気案内路１５６に吐出され、開口１４９ａ〜１４９ｄから靴本体部３４内に排気される。このとき、吸気用逆止弁１６６は閉鎖されている。
【００４０】
次に、踏み出した一方の足を着地させ、他方の足を踏み出すと、他方の足の換気靴３０が地面から離れてソール３２が偏平な状態に戻り、ポンプ室１６１内において下底３７と本底３８とが離間させられ、ポンプ室１６１が圧縮されなくなり、圧力が低くなる。これにより、吸気用逆止弁１６６は開放され、靴本体部３４内の空気が、図１の矢印方向に開口１４８ａ〜１４８ｃから吸気され、ポンプ室１６１に送られる。これに伴い、靴本体部３４外の空気が靴本体部３４内に吸引される。このとき、排気用逆止弁１７１は閉鎖されている。
【００４１】
このようにして、装着者が交互に足を踏み出して歩行すると、吸気部１４８からポンプ室１６１に吸気された空気が、排気部１４９から靴本体部３４内に排気され、靴本体部３４内の換気が連続して行われる。
【００４２】
本実施の形態においては、靴本体部３４外の空気が、アッパ３１の上縁から靴本体部３４内に吸引され、アッパ３１の上縁から靴本体部３４外に排出されるので、靴本体部３４外の空気を取り込むために、換気靴３０のアッパ３１、ソール３２等に空気の取込み用の穴、空気の排出用の穴等を形成する必要がない。したがって、靴本体部３４内の換気に伴って靴本体部３４内に雨水等が進入することがない。
【００４３】
また、前記ポンプ室１６１を、硬度が高い本底３８に凹部を形成することによって形成すると、凹部の深さを十分に維持することができる。その場合、中敷３５、中底３６、下底３７及び本底３８が偏平な状態に復元されたときに、ポンプ室１６１の容積を十分に大きくすることができるので、吸気部１４８において十分な量の空気を吸気することができる。
【００４４】
そして、前記凸部３８ａ、３８ｂが換気靴３０の幅方向に延在させて形成されるので、装着者が歩行するときに中敷３５、中底３６、下底３７及び本底３８の湾曲が凸部３８ａ、３８ｂによって阻止されることがない。したがって、ポンプ室１６１の容積を十分に変化させることができる。
【００４５】
さらに、ポンプ室１６１内に、スペーサ３８ｃ、３８ｄが配設されるので、歩行に伴ってソール３２が湾曲させられ、ポンプ室１６１内において下底３７と本底３８とが近接させられた後、ソール３２が偏平な状態に戻ったときに、ポンプ室１６１内において下底３７と本底３８とを迅速に復元させ、離間させることができる。したがって、靴本体部３４内の換気を確実に行うことができる。
【００４６】
次に、本発明の第２の実施の形態について説明する。なお、第１の実施の形態と同じ構造を有するものについては、同じ符号を付与し、同じ構造を有することによる発明の効果については同実施の形態の効果を援用する。
【００４７】
図１８は本発明の第２の実施の形態における換気靴の縦断面図である。
【００４８】
図において、１３０は換気靴、１３１は足を覆うアッパ、１３２はソール、１３３はヒールである。ソール１３２は、足の裏面と当接する中敷１３５、該中敷１３５の下方に積層された本底１３８等を備える。また、１３４は、アッパ１３１と中敷１３５との間に形成される空間から成る靴本体部である。
【００４９】
本実施の形態においては、アッパ１３１における履き口部１３１ａから爪先部１３１ｂまでの間の裏面、踵部１３１ｃ及び側部１３１ｄの裏面、及び中敷１３５の表面に、凹凸溝列を有するシート８０を貼着することによって、第１〜第３の通気路１４１〜１４３が形成される。第１の通気路１４１はアッパ１３１の長手方向に、第２の通気路１４２はアッパ１３１の高さ方向に、第３の通気路１４３は中敷１３５の長手方向に形成される。
【００５０】
したがって、装着者の足がアッパ１３１の内周面及び中敷１３５の表面に密着しても、靴本体部１３４内と靴本体部１３４外とが第１、第２の通気路１４１、１４２の溝を介して連通させられ、中敷１３５の後端部と前端部とが通気路１４３の溝を介して連通させられるので、靴本体部１３４内で空気を十分に循環させることができるとともに、靴本体部１３４内の空気を靴本体部１３４外に十分に排出したり、靴本体部１３４外の空気を靴本体部１３４内に十分に取り込んだりすることができる。その結果、靴本体部１３４内の換気を十分に行うことができる。
【符号の説明】
【００５１】
３０、１３０    換気靴
３１、１３１    アッパ
３４、１３４    靴本体部
３７    下底
３８    本底
５０    ポンプ装置
１４８    吸気部
１４９    排気部
１６１    ポンプ室
１６６    吸気用逆止弁
１７１    排気用逆止弁
【図１】
2017131491.tif 000003
【図２】
2017131491.tif 000004
【図３】
2017131491.tif 000005
【図４】
2017131491.tif 000006
【図５】
2017131491.tif 000007
【図６】
2017131491.tif 000008
【図７】
2017131491.tif 000009
【図８】
2017131491.tif 000010
【図９】
2017131491.tif 000011
【図１０】
2017131491.tif 000012
【図１１】
2017131491.tif 000013
【図１２】
2017131491.tif 000014
【図１３】
2017131491.tif 000015
【図１４】
2017131491.tif 000016
【図１５】
2017131491.tif 000017
【図１６】
2017131491.tif 000018
【図１７】
2017131491.tif 000019
【図１８】
2017131491.tif 000020